(57)【特許請求の範囲】
【請求項１】
両端を開放した外筒の一端に口部を設け、前記外筒の他端に、底部を兼ねた有底筒状の調整つまみを、外筒の中心軸を中心に回転可能に連繋してなる、内部に中空の液溜を有する容器本体と、この容器本体の前記口部を閉塞した状態において前記液溜に収納される塗布部を先端側に有する塗布バーを一体的に設けたキャップと、前記調整つまみに端部を螺合させ、前記調整つまみが回転すると、回転方向に応じて外筒の内面に沿って長手方向に進退する連動シリンダーと、この連動シリンダーの口部側の端部に設け、前記口部側から液溜側に向かって徐々に径が小さくなるように、ほぼ漏斗状に形成し先端部分を塗布部が挿通するしごき口となし、塗布バーを引き出すときに前記しごき口を通過する塗布部の余分な化粧料が除去されるようになしたしごき部材と、このしごき部材の内側面に対向するように口部近傍の外筒内部に設け、しごき部材の口部側への移動に応じてこのしごき部材を押し開き前記しごき口を拡張する押し当て部材とからなる液状化粧料用容器であって、しごき部材は、弾性を有し先端がしごき口となるしごきチップと、先端から基端に向かって伸びる複数のスリットを有し、径方向に変形可能でかつ復元力を有する補助チップとを、該補助チップが口部側になって前記押し当て部材と当接するように重ね合わせて構成するとともに、容器本体の口部をキャップで閉じた状態において、塗布バーの、しごき部材のしごき口に対応する部分に外径を絞ったくびれ部を設け、しごき口がいずれの開口度においても、しごき口の縁部が、前記くびれ部の傾斜面に接触した状態を保つように形成したことを特徴とする液状化粧料用容器。
【請求項２】
両端を開放した外筒の一端に口部を設け、前記外筒の他端に、底部を兼ねた有底筒状の調整つまみを、外筒の中心軸を中心に回転可能に連繋してなる、内部に中空の液溜を有する容器本体と、この容器本体の前記口部を閉塞した状態において前記液溜に収納される塗布部を先端側に有する塗布バーを一体的に設けたキャップと、前記調整つまみに端部を螺合させ、前記調整つまみが回転すると、回転方向に応じて外筒の内面に沿って長手方向に進退する連動シリンダーと、この連動シリンダーの口部側の端部に設け、前記口部側から液溜側に向かって徐々に径が小さくなるように、ほぼ漏斗状に形成し先端部分を塗布部が挿通するしごき口となし、塗布バーを引き出すときに前記しごき口を通過する塗布部の余分な化粧料が除去されるようになしたしごき部材と、このしごき部材の内側面に対向するように口部近傍の外筒内部に設け、しごき部材の口部側への移動に応じてこのしごき部材を押し開き前記しごき口を拡張する押し当て部材とからなる液状化粧料用容器であって、しごき部材は、弾性を有し先端がしごき口となるしごきチップと、先端から基端に向かって伸びる複数のスリットを有し、径方向に変形可能でかつ復元力を有する補助チップとを、該補助チップが口部側になって前記押し当て部材と当接するように重ね合わせて構成するとともに、容器本体の口部をキャップで閉じた状態において、塗布バーの、しごき部材のしごき口に対応する部分に外径を絞ったくびれ部を設け、しごき口がいずれの開口度においても、しごき口の縁部が、前記くびれ部の傾斜面に接触した状態を保つように形成するとともに、外筒の、口部とは反対側端部の内周面と、この内周面に摺動可能に嵌合する調整つまみの外周面に、それぞれ円周方向に伸び、互いに係合する凹凸条を相対的に設けるとともに、前記内周面と外周面間に前記凹凸条と平行して伸びるシールリングを設けたことを特徴とする液状化粧料用容器。
【発明の詳細な説明】
【０００１】
【発明が属する技術分野】
本発明は、キャップと塗布具が一体的に構成され、キャップを本体から外すと、化粧料が付着した塗布バーがキャップとともに引き出されて化粧料の塗布を行うマスカラなどの液状化粧料の容器に係り、特に、塗布バーを引き出すときに余分な化粧料を除去するためのしごき口を有するしごき部材を備え、このしごき部材のしごき口を拡縮しうるものに関する。
【０００２】
【従来の技術】
従来の液状化粧料用容器、例えばマスカラ用容器には、一端に口部を設け他端を閉塞した、中空の液溜を有する円筒状の容器本体と、この容器本体の前記口部を閉塞しうるように構成し、口部を閉塞した状態で前記液溜に収納される塗布ブラシを有する塗布バーを一体的に設けたキャップと、口部側近傍の、容器本体内側に設け、口部側から液溜側に向かって徐々に径が小さくなるように、ほぼ漏斗状に形成し先端部分を、前記塗布ブラシを挿通するしごき口となし、塗布ブラシを引き出すときに余分な化粧料を除去するためのしごき部材とからなるものがある。そして、前記しごき部材は、キャップが口部を閉塞した状態で塗布バーの中間部分に設けたくびれ部に対応しており、また、しごき口の拡縮を行って、マスカラ液の除去量を加減するように構成してある。
【０００３】
【発明が解決しようとする課題】
上記従来のマスカラ用容器は、しごき部材のゴムで形成するのが通常であるが、この場合はしごき口の拡縮動作における応答が、特にしごき口が小さい場合に悪いという問題があった。これを解消するものとして既に、しごき部材をしごきチップと補助チップで構成したものが提案されているが、この構成では、非使用時の、キャップで口部を閉塞した状態においては、塗布バーの中間部分がしごき口を貫通しているが、しごき口を最少状態にしておかないと、しごき口縁と塗布バー間に隙間が存在するので、液溜内のマスカラ液が口部側に入り込み、口部からの液漏れの原因となっていた。特に、しごき口を拡大するにしたがってこの現象が顕著になる、という問題があった。
【０００４】
本発明は、上記問題を解消することを課題とし、該課題を解決した液状化粧料用容器を提供することを目的とする。
【０００５】
【課題を解決するための手段】
請求項１の本発明は、上記目的を達成するために、両端を開放した外筒の一端に口部を設け、前記外筒の他端に、底部を兼ねた有底筒状の調整つまみを、外筒の中心軸を中心に回転可能に連繋してなる、内部に中空の液溜を有する容器本体と、この容器本体の前記口部を閉塞した状態において前記液溜に収納される塗布部を先端側に有する塗布バーを一体的に設けたキャップと、前記調整つまみに端部を螺合させ、前記調整つまみが回転すると、回転方向に応じて外筒の内面に沿って長手方向に進退する連動シリンダーと、この連動シリンダーの口部側の端部に設け、前記口部側から液溜側に向かって徐々に径が小さくなるように、ほぼ漏斗状に形成し先端部分を塗布部が挿通するしごき口となし、塗布バーを引き出すときに前記しごき口を通過する塗布部の余分な化粧料が除去されるようになしたしごき部材と、このしごき部材の内側面に対向するように口部近傍の外筒内部に設け、しごき部材の口部側への移動に応じてこのしごき部材を押し開き前記しごき口を拡張する押し当て部材とからなり、しごき部材は、弾性を有し先端がしごき口となるしごきチップと、先端から基端に向かって伸びる複数のスリットを有し、径方向に変形可能でかつ復元力を有する補助チップとを、該補助チップが口部側になって前記押し当て部材と当接するように重ね合わせて構成するとともに、容器本体の口部をキャップで閉じた状態において、塗布バーの、しごき部材のしごき口に対応する部分に外径を絞ったくびれ部を設け、しごき口がいずれの開口度においても、しごき口の縁部が、前記くびれ部の傾斜面に接触した状態を保つように形成したことを特徴とするものである。
【０００６】
また、請求項２の本発明は、両端を開放した外筒の一端に口部を設け、前記外筒の他端に、底部を兼ねた有底筒状の調整つまみを、外筒の中心軸を中心に回転可能に連繋してなる、内部に中空の液溜を有する容器本体と、この容器本体の前記口部を閉塞した状態において前記液溜に収納される塗布部を先端側に有する塗布バーを一体的に設けたキャップと、前記調整つまみに端部を螺合させ、前記調整つまみが回転すると、回転方向に応じて外筒の内面に沿って長手方向に進退する連動シリンダーと、この連動シリンダーの口部側の端部に設け、前記口部側から液溜側に向かって徐々に径が小さくなるように、ほぼ漏斗状に形成し先端部分を塗布部が挿通するしごき口となし、塗布バーを引き出すときに前記しごき口を通過する塗布部の余分な化粧料が除去されるようになしたしごき部材と、このしごき部材の内側面に対向するように口部近傍の外筒内部に設け、しごき部材の口部側への移動に応じてこのしごき部材を押し開き前記しごき口を拡張する押し当て部材とからなる液状化粧料用容器であって、しごき部材は、弾性を有し先端がしごき口となるしごきチップと、先端から基端に向かって伸びる複数のスリットを有し、径方向に変形可能でかつ復元力を有する補助チップとを、該補助チップが口部側になって前記押し当て部材と当接するように重ね合わせて構成するとともに、容器本体の口部をキャップで閉じた状態において、塗布バーの、しごき部材のしごき口に対応する部分に外径を絞ったくびれ部を設け、しごき口がいずれの開口度においても、しごき口の縁部が、前記くびれ部の傾斜面に接触した状態を保つように形成するとともに、外筒の、口部とは反対側端部の内周面と、この内周面に摺動可能に嵌合する調整つまみの外周面に、それぞれ円周方向に伸び、互いに係合する凹凸条を相対的に設けるとともに、前記内周面と外周面間に前記凹凸条と平行して伸びるシールリングを設けたことを特徴とするものである。
【０００７】
【発明の実施の形態】
以下に、本発明をマスカラ用容器に適用した好適な実施形態を添付図面に基づいて詳細に説明する。ここにおいて、図１は縦断面図、図２は図１のＡ−Ａ線断面図、図３はキャップを外した状態の正面図、図４はしごき部材を組み立てる状態を示す拡大斜視図、図５は最大の開口度状態に設定したしごき部材を示す部分拡大断面図、図６は最少の開口度状態に設定したしごき部材を示す部分拡大断面図である。
【０００８】
図１〜図３に示すように、マスカラ用容器１は、両端を開放した外筒２の一端に口部３を設け、前記外筒２の他端に、底部を兼ねた有底筒状の調整つまみ４を、外筒２の中心軸を中心に回転可能に、かつ外筒２の前記開放端を密閉するように連繋してなる、内部に中空の液溜５を有する容器本体６と、この容器本体６の前記口部３を閉塞した状態において前記液溜５に収納される塗布部たる塗布ブラシ７を先端側に有する塗布バー８を一体的に設けたキャップ９と、外筒２の内面に沿って長手方向に進退するようになし、前記調整つまみ４に端部を螺合させた連動シリンダー１０と、この連動シリンダー１０の口部３側の端部に設け、前記口部３側から液溜側５に向かって徐々に径が小さくなるように、ほぼ漏斗状に形成し先端部分を塗布ブラシ７が挿通するしごき口１１となし、塗布バー８を引き出すときに前記しごき口１１を通過する塗布ブラシ７の余分な化粧料たるマスカラ液（図示せず）が除去されるようになしたしごき部材１２と、このしごき部材１２の口部３側面に対向するように口部３近傍の外筒６の内部に設け、しごき部材１２の前記連動シリンダー１０にともなう上昇に応じて前記しごき部材１２の前記連動シリンダー１０にともなう上昇に応じて前記しごき部材１２を押し開き、前記しごき口１１を拡張する筒状の押し当て部材１３とからなる。
【０００９】
図４〜図６に示すように、しごき部材１２は、弾性材料であるゴムでほぼ漏斗状に形成し先端にしごき口１１を有するしごきチップ１４と、先端から基端に向かって伸びる複数のスリット１５を有し、径方向に変形可能でかつ復元力を有する樹脂製でほぼ漏斗状に形成した補助チップ１６とを、該補助チップ１６が口部３側に位置するように重ね合わせて構成する。
【００１０】
図５及び図６に示すように、キャップ９で口部３を閉塞した状態において、塗布バー８は、しごき部材１２のしごき口１１に対応する部分に外径を絞ったくびれ部１７を設け、このくびれ部１７の形状を、しごき口１１の開口度に応じて、前記しごき口１１の縁部が、前記くびれ部１７の傾斜面１７ａに接触した状態を保つように形成する。このように、キャップ９で口部３を閉塞した状態においてしごき口１１の開口度を調整しても、しごき口１１の縁が常にくびれ部１７に接触することによって、液溜５のマスカラ液は口部３側に移動しないので、口部３からの液漏れを防ぐことができる。なお、キャップ９により口部３を閉塞するには、キャップ９の内周に設けた雌螺旋９ａを、口部３に設けた雄螺旋３ａに螺合して行うものである。
【００１１】
図１〜図３に明示したように、容器本体６の外筒２には、口部３とは反対側端部の内周面に円周方向に伸びる凹条１８を設ける一方、調整つまみ４には、その外周面に前記凹条１８に係合する凸条１９と、前記外筒２の内周面に圧接することによって前記液溜５を外部に対して密閉するためのシールリング２０とを設けてある。そして、容器本体６は、外筒８の内周面に、調整つまみ４の外周面を嵌合し、外筒２の中心軸上で回転可能に、かつ外筒２の開放端を密閉するように連繋して構成するものである。また、外筒２の、調整つまみ４近傍の外周面に三角形の指示標２１を表示する一方、該調整つまみ４の、外筒２近傍の外周面に前記指示標２１に対応位置して、しごき部材１２のしごき口１１の開口度を示す「１」〜「１０」の開口度値２２が表示してある。
【００１２】
さらに、図２に示すように、容器本体６は、外筒２の内面に長手方向に伸びるガイド溝２３を設ける一方、連動シリンダー１０に該ガイド溝２３に移動可能に嵌合するガイド突起２４を設け、連動シリンダー１０が外筒２内面に沿って長手方向に進退するように構成してある。
【００１３】
以上のように構成したマスカラ用容器は、外筒２に対して調整つまみ４を中心軸を中心に回転すると、これと螺合する連動シリンダー１０がガイド溝２３にガイドされながら、前記調整つまみ４の回転方向に応じて外筒２の長手方向に進退する。この調整つまみ４の回転の際に、調整つまみ４と外筒２との軸方向の位置関係は変化しないので、外筒２下端が上昇して隙間があくことはない。前記連動シリンダー１０の図１上、上方への進出によってしごき部材１２は、連動シリンダー１０の口部３側の端部に設けた筒状の押し当て部材１３に押し当てられて開かれ、しごき口１１を拡大する（図５及び図６参照）。そして、例えば調整つまみ４を回転変位させ、開口度値２２の「１」を指示標２１に対応させると、前記連動シリンダー１０は図１上、最下位位置となり、しごき口１１は、その内径の開口度が最小となり、開口度値２２の「１０」を指示標２１に対応させると、前記連動シリンダー１０は図１上、最上昇位置となり、しごき口１１は、その内径の開口度が最大となるものである。
【００１４】
なお、本発明は上記実施形態になんら限定されるものではなく、例えば、液状化粧料はマスカラ液ではなく、マニキュア液など、他のものでもよい。
【００１５】
【発明の効果】
以上説明したように、請求項１の本発明は、しごき口の開口度の調整が最小から最大までスムーズで、かつ確実であるとともに、キャップで口部を閉塞した状態においてしごき口の開口度の大小にかかわらず、しごき口の縁が常にくびれ部に接触し、液溜のマスカラ液は口部側に移動しないので、口部からの液漏れを防ぐことができ、また、外筒と調整つまみとの間に隙間ができないので、両筒間にゴミなどが入って回転が阻害されず、さらに見栄えもよいという効果を奏する。
【００１６】
また、請求項２の本発明は、上述した請求項１の効果に加えて、調整つまみの回転がスムーズであるとともに、シールリングにより容器本体の外部と内部を確実に密閉しうるという効果を奏する。
【図面の簡単な説明】
【図１】縦断面図。
【図２】図１のＡ−Ａ線断面図。
【図３】キャップを外した状態の正面図。
【図４】しごき部材を組み立てる状態を示す拡大斜視図。
【図５】最大の開口度状態を設定したしごき部材を示す部分拡大断面図。
【図６】最小の開口度状態に設定したしごき部材を示す部分拡大断面図。
【符号の説明】
１  液状化粧料用容器
２  外筒
３  口部
３ａ  雄螺旋
４  調整つまみ
５  液溜
６  容器本体
７  塗布ブラシ
８  塗布バー
９  キャップ
９ａ  雌螺旋
１０  連動シリンダー
１１  しごき口
１２  しごき部材
１３  押し当て部材
１４  しごきチップ
１５  スリット
１６  補助チップ
１７  くびれ部
１７ａ  傾斜面
１８  凹条
１９  凸条
２０  シールリング
２１  支持標
２２  ガイド溝
２３  ガイド突起
【図１】
0004644337.tif 000002
【図２】
0004644337.tif 000003
【図３】
0004644337.tif 000004
【図４】
0004644337.tif 000005
【図５】
0004644337.tif 000006
【図６】
0004644337.tif 000007